(57)【要約】【課題】  被結束物を荷造りした後に、結束が緩んだり荷崩れ等起きない結束バンド止め具を提供すること。【解決の手段】  バンド１を絡ませるる略棒状のバー２付きの枠体３からなる結束バンド止め具において、この板状で２列に並列する枠体３を伸縮性合成樹脂材Ｍ例えば、ポリウレタンエラストマー樹脂にし、物品結束時に枠体３の伸び縮みＰ弾発締め付けの出来る結束バンド止め具にする。また、前記する枠体３の一部に止め座４を一体化し例えば、バンド１を釣り竿Ａ等のグリップ近接部に巻き付け固定し、枠体３の止め座４には安全ロープＢを接続し、のこの端末を釣り人の身体に結び付ける等で、釣り竿等棒状物での安全ロープＢに使う結束バンド止め具にする。また、前記するバー２の少なくとも１本を枠体３と一体化でなる伸縮性合成樹脂材Ｍでなる結束バンド止め具にする。【選択図】図１
2010260634.tif 000002
【特許請求の範囲】
【請求項１】
バンド１を絡ませるる略棒状のバー２付きの枠体３からなる結束バンド止め具において、この板状で２列に並列する枠体３を伸縮性合成樹脂材Ｍ例えば、ポリウレタンエラストマー樹脂にし、物品結束時に枠体３の伸び縮みＰ弾発締め付け可能構成にした事を特徴とする結束バンド止め具。
【請求項２】
前記する枠体３の一部に止め座４を一体化し例えば、バンド１を釣り竿Ａ等のグリップ近接部に巻き付け固定し、枠体３の止め座４には接続用具Ｃを介し、安全ロープＢを接続し、のこの端末を釣り人の身体に結び付ける等で、釣り竿等棒状物での安全ロープＢ結束使用可能にしたことを特徴とする  請求項１記載の結束バンド止め具。
【請求項３】
前記するバー２の少なくとも１本を枠体３と一体化でなる伸縮性合成樹脂材Ｍにしたことを特徴とする請求項１記載の結束バンド止め具。
【請求項４】
前記する枠体３が板状の４辺からなる中空体５で、其の１辺に直立でヒンジ部３０ａを介し、折り曲げＴ自在の並列する２本のバー２０に夫々中空体５から差し込まれて絡ませるバンド１の伸び縮みＰで結束し，枠体３０の２辺中央部に一体化でなる伸縮性合成樹脂材Ｍでの間接枠体３ａにし、弾発締め付け伸び縮みＰ可能構成にしたことを特徴とする請求項１記載の結束バンド止め具。
【請求項５】
前記する２列に並列する枠体３を密着巻きでの引っ張りコイルスプリング６での枠体３００にし、これらの夫々の端子部６ａにバー２００を結合したことを特徴とする請求項１記載の結束バンド止め具。
【発明の詳細な説明】
【０００１】  この発明は、物品を結束に使う、バンド（ベルト）とバックルとでなる結束バンド止め具に関する。
【背景技術】
【０００２】  この種に最も近い従来技術として、被荷造り品側から大きな引張り力が掛かってもバンドがバックルのバー（ピン）から滑ることを防止し、バンドの引き締め力の緩みを防止することができるバンド止め具が特許文献１に開示され、更に、また他の結束バンド止め具で、結束バンドの一端をバーにセットした場合に緩みの発生が無く、作業性の良好な結束バンドが特許文献２に開示されている。【０００３】  即ち、特許文献１でのこの結束バンド止め具は、バックルの中央部にバンド通孔を形成した矩形の基板部とこの基板部の両端を起立させて形成したり両側板部とを有する金具本体と、この金具本体の前記バンド通孔の両側で前記両側板部間に固定支持された２本の平行に配置されたバーとからなり、前記バーは一端に大径の頭部を有し、この頭部から他端に向けて伸びる軸部を備え、この軸部の全長に亘ってバンド滑り止め加工面が設けられており、前記両側板部に形成された通孔に軸部の両端のバンド滑り止め加工面が嵌合固定される構成からなる。【０００４】  次に、他の特許文献２での結束バンド止め具では、四角形枠状の枠部と、該枠部の側面に折り返し可能なヒンジ部を介して接続される２本のバーを有するバンド止め具のこれらの枠部にバーとは別に結束バンド緩み防止手段を設ける構成からなる。【０００５】
【特許文献１】実用新案登録第３１４０９６７号公報
【０００６】
【特許文献２】特開平８−２６３２７号公報
【発明の開示】
【発明が解決しようとする課題】
【０００７】  しかしながら、文献１での結束バンド止め具は、荷造カートンにバンドを掛け、バックルに具備するバーにバンドを絡ませてバンドの先端部を手で強く引っ張りながら荷造りカートンを巻き付け結束するのに、バーの外周に施したギザギザのローレット滑り止めで、絡ませたバンドの滑りが悪く強いベルトの引き締めが出来ないだけでなく、結束時に、バンドを強く引っ張れば引っ張るほど、バーに負荷抵抗が増大する等でベルトの滑りが止まり引き締め作業に難がある等から、もとより荷物の結束作業でベルトがスムーズに締り、結束完了後は逆戻りでバンド緩みが無く更には、バンドを切断する事無く、結束を開梱出来る結束バンド止め具が望まれる。【０００８】  そしてまた、文献２での結束バンド止めは、主に結束した荷造りの開梱はベルトを切断での結束バンド止め具構成に使われるが、バンドをバーに絡ませる作業に難が有り、荷造り結束はバーにバンドが挟み込まれた状態で絡ませるなどでバンドの結束引っ張りがバー同志の板挟みロック抵抗を受けながらベルトに猛烈な引っ張りを掛けなければ結束に難がある等の課題が残る。【０００９】  上記する結束バンド止め具に望まれるのは被荷造り品側から大きな引張りが掛かってもベルトがバーを滑ることを防止し、バンドの引き締め力の緩みを防ぐことを狙いとする構成で、従来技術では、いずれも結束での利便性と結束緩みに課題を残している。
【課題を解決する為の手段】
【００１０】  この発明はかかる課題を解決する為に、請求項１での発明は、図１での全体斜視図で述べるに、バンド１を絡ませるる略棒状のバー２付きの枠体３からなる結束バンド止め具において、この板状で２列に並列する枠体３を伸縮性合成樹脂材Ｍ例えば、ポリウレタンエラストマー樹脂にし、物品結束時に枠体３の伸び縮みＰ弾発締め付け可能構成の結束バンド止め具にする。
【００１１】  次に、請求項２での発明は、図２での使用例を兼ねての全体を示しての斜視図で述べるに、前記する枠体３の一部に止め座４を一体化し例えば、バンド１を釣り竿Ａ等のグリップ近接部に巻き付け固定し、枠体３の止め座４には安全ロープＢを接続し、のこの端末を釣り人の身体に結び付ける等で、釣り竿等棒状物での安全ロープＢ結束使用可能にした結束バンド止め具にする。
【００１２】  次に、請求項３での発明は、図３での全体を示しての斜視図で述べるに、前記するバー２の少なくとも１本を枠体３と一体化でなる伸縮性合成樹脂材Ｍにした結束バンド止め具にする。
【００１３】  次に、請求項４での発明は、図４での全体を示しての斜視図と図５での使用例を示して斜視図で述べるに、前記する枠体３が板状の４辺からなる中空体５で、其の１辺に直立でヒンジ部３０ａを介し、折り曲げＴ自在の並列する２本のバー２０に夫々中空体５から差し込まれて絡ませるバンド１の張力で結束し，枠体３０の２辺中央部に設けた伸縮性合成樹脂材Ｍでの間接枠体３ａを設け、伸び縮みＰでの弾発締め付け可能構成にした結束バンド止め具にする。
【００１４】  次に、請求項５での使用例を兼ねての要部を示しての斜視図で述べるに、前記する２列に並列する枠体３を密着巻きでの引っ張りコイルスプリング５での枠体３００にし、これらの夫々の端子部６ａにバー２００を結合した結束バンド止め具にする。
【発明の効果】
【００１５】  本発明は上述の通り構成作用するので、次の優れた効果を奏する。即ち、請求項１又は３項での効果は、被結束物に巻き込まれた止め具の面ファスナーのバンドを引っ張りながら枠体を伸ばしバンドを止めた後での、枠体の引っ張り縮みが結束物を締め付け、ゆるむ事なく、また、請求項２での効果は、例えば、釣り場での棒状の釣り竿に結束する安全ロープを接続するのに、伸び縮みのゴム質でなる止め具の枠体が伸びながらが釣り竿の外周に密着接合することで、滑り難い結束が出来また、請求項４での効果は、バンドが面ファスナーロック方法を使わないポリプルピレン帯状のバンドを使っての止め具でも双方のバンドを引っ張りながら結束することで、ゆるみのない結束が出来また、請求項５での効果は、ゴム質の伸び縮みの枠体に変わりコイルスプリングの伸び縮みの締め付け結束が行われることで、長期間保存での締め付けが、コイルスプリングの経時変化することのない被結束物の結束バンド止め具を提供出来る。
【発明を実施するための最良の形態】
【００１６】  以下に図示の実施例に基づいて本発明を更に詳細に説明する。即ち、図１は本発明での第１実施例に基づく全体斜視図で、面ファスナーでなるバンド１を絡ませる略棒状の２本並列でなる例えばＰＯＭ樹脂製のバー２の両先端を板状で２列の並列する枠体が伸縮性合成樹脂材Ｍ例えば、ポリウレタンエラストマー樹脂製の枠体３に一体化構成とし、これらの１本のバー２には面ファスナーでなるバンド１の一端を丸めて接続固定した結束バンド止め具を構成する。【００１７】  そして、被結束物は簡単に包装と開梱の繰り返し使えるこの便利な面ファスナーが使われるのが好ましく、荷物に掛けられ荷造りしたバンド２の端を伸縮性合成樹脂材ポリウレタンエラストマー材成形の枠体３に一体化成形でなる他のＰＯＭ樹脂材質での棒状のバー２に絡ませて引っ張りながらバンド２の端を面ファスナーに接合固定し、枠体３の伸び縮みＰ弾発性で、荷崩れのないバンド２の締め付けでの結束を具現化している。更に、これらの締め付け結束での枠体３のゴム質が被結束物の接触面を滑り難くすることでバンド２の空転のない、更には結束緩みを防ぎ、荷崩れのない結束バンド止め具として新しい効果を奏している。【００１８】  次に、図２は本発明での第２実施例に基づく使用例を示しての全体を示しての斜視図で、主に被結束物が丸い棒状での結束で例えば、釣り場での釣り竿Ａに安全ロープＢを接続し、其の安全ロープＢの端子部を人体のベルトに接続するなどに利用するのに、枠体３の一部に止め座４を一体化し、これに連なる接続用具Ｃを介し安全ロープＢに連結される。このように、棒状の被結束物は、バンド１の弾発締め付け結束として最適なゴム質でなる枠体３の伸縮作用で全く空転のない結束を具現化出来る。【００１９】  次に、図３は本発明での第３実施例に基づく全体を示しての斜視図で、前記するバー２の少なくとも１本を枠体３と一体化でなる伸縮性合成樹脂材にし、バンド２を絡ませ固定するバー２にクッション性を作ることで変則的な被結束物の梱包を荷崩れのない締め付け結束を可能な構成とする。【００２０】  次に、図４は本発明の第４実施例に基づく要部を示しての斜視図で、また、図５は同じく第４実施例での使用例を示しての斜視図で、本実施例では宅配便でのカートン荷造り結束等に適応する結束バンド止め具で、繰り返し使える前記の面ファスナーでのバンド１に変わり、ＰＰ樹脂材帯状を結束用バンド１にし、開梱の際にバンド１を切断する等で使い捨て
バンド１と繰り返し使える個別でなる２モード合成樹脂製枠体３０とで、結束バンド止め具を構成する。【００２１】  即ち、前記する枠体３は薄い板状の４辺からなる中空体５で、其の１辺に直立するヒンジ部３０ａを介し折り曲げＴ自在の２本の並列するＨ状で板状のバー２０を一体化しこのバー２０の１辺と其れに対向する他の１辺との夫々の中央部に設けた伸縮性合成樹脂材Ｍからなる間接枠体３ａを一体化し伸び縮みＰ弾発締め付け可能な枠体３０構成にし、個別でなるＰＰ樹脂材のバンド１を荷造りカートンに巻き付け絡ませ、バンド１のそれぞれの端子は枠体３０の中空体５から差し込まれ端子は折り曲げられた２本の並列するバー２０に引っ張りながら絡ませ伸び縮みＰの締め付け結束を可能な構成とすることで、カートン結束の緩みや荷崩れを防止する結束バンド止め具を提供可能にし、カートンの開梱はバンド１を切断で行い、枠体３０はバンド１からばらして繰り返し使う等で利用される。【００２２】  次に、図６は本発明の第５実施例に基づく使用例を示しての要部を示す斜視図で、前記する請求項１記載での２列に並列する枠体３を密着巻きでの引っ張りコイルスプリング６の枠体３００にし、これらの夫々の端子部６ａにバー２００を結合し、合成樹脂材のゴム質での伸縮性を考慮した枠体３００をコイルスプリング６を使ったの伸縮性を考慮しての枠体３００での結束バンド止め具にする。これら止め具での被結束物も面ファスナーでの繰り返し使える荷物の結束に適応するが、結束のまま長期的に開梱する事無く保存するのに、引っ張りコイルスプリング６での枠体３００が長期間にわたり引っ張りでの劣化対応として利用する等の利点を考慮するが、結束バンド止め具の枠体に伸縮性の特性を具備することを目的とし、これらのクッション性構成に特定するもので無く、他の幾つかの手段
【図面の簡単な説明】
【００２３】
【図１】  本発明に係わる第１実施例での全体を示しての斜視図である。
【図２】  本発明に係わる第２実施例での使用例を兼ねての要部斜視図である。
【図３】  本発明に係わる第３実施例での全体を示しての斜視図である。
【図４】  本発明に係わる第４実施例での全体を示しての斜視図である。
【図５】  本発明に係わる第４実施例での使用例での斜視図である。
【図６】  本発明に係わる第５実施例での要部での斜視図である。
【符合の説明】
【００２４】  Ａ    釣り竿
Ｂ    安全ロープ
Ｃ    接続用具
Ｍ    伸縮性合成樹脂材
Ｐ    伸び縮み
Ｔ    折り曲げ
１    バンド
２、２０、２００  バー
３，３０，３００  枠体
３ａ  間接枠体
３０ａヒンジ部
４    止め座
５    中空体
６    引っ張りコイルスプリング
６ａ  端子部
【図１】
2010260634.tif 000003
【図２】
2010260634.tif 000004
【図３】
2010260634.tif 000005
【図４】
2010260634.tif 000006
【図５】
2010260634.tif 000007
【図６】
2010260634.tif 000008